(57)【要約】【課題】プラズマディスプレイ装置の使用用途を拡大できるようにする。【解決手段】平板形状のシャーシ板１１の前面に熱伝導性シート１２を介在させて表示パネル１０を配置すると共に背面に表示パネル１０を駆動表示する駆動回路基板１３を配置して表示モジュールを構成しかつ表示モジュールをケース内に収容することにより構成した平板型のプラズマディスプレイ装置２０と、このプラズマディスプレイ装置２０を表示パネル１０側が上向きになるように水平に保持する表示台２１とを備え、表示台２１は、表示パネル１０側が上向きになるようにプラズマディスプレイ装置２０を水平に保持する保持アングルと、この保持アングルの周囲に設けられかつ前記プラズマディスプレイ装置２０の外周部に空気流を発生させることが可能な排気用ダクト２５と、この排気用ダクト２５の一端に取付けられ排気用ダクト２５内に空気流を発生させるためのファン２６とを備えた。【選択図】図５
2008275852.tif 000002
【特許請求の範囲】
【請求項１】
平板形状のシャーシ板の前面に熱伝導性シートを介在させて表示パネルを配置すると共に背面に前記表示パネルを駆動表示する駆動回路基板を配置して表示モジュールを構成しかつ前記表示モジュールをケース内に収容することにより構成した平板型の表示装置と、この表示装置を前記表示パネル側が上向きになるように水平に保持する表示台とを備え、前記表示台は、前記表示パネル側が上向きになるように表示装置を水平に保持する保持アングルと、この保持アングルの周囲に設けられかつ前記表示装置の外周部に空気流を発生させることが可能な排気用ダクトと、この排気用ダクトの一端に取付けられ排気用ダクト内に空気流を発生させるためのファンとを備えたことを特徴とするディスプレイ装置。
【請求項２】
排気用ダクトの上部開口を表示装置のケースにより塞ぐように構成した請求項１に記載のディスプレイ装置。
【発明の詳細な説明】
【技術分野】
【０００１】
本発明は、大画面で、薄型、軽量のプラズマディスプレイ装置などを用いたディスプレイ装置に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【０００５】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として脚光を集めている。
【特許文献１】特許第２８０７６７２号公報
【発明の開示】
【発明が解決しようとする課題】
【０００６】
本発明はこのような情報表示装置としてのプラズマディスプレイ装置の用途を拡大させることを目的とするものである。
【課題を解決するための手段】
【０００７】
上記目的を達成するために本発明は、平板形状のシャーシ板の前面に熱伝導性シートを介在させて表示パネルを配置すると共に背面に前記表示パネルを駆動表示する駆動回路基板を配置して表示モジュールを構成しかつ前記表示モジュールをケース内に収容することにより構成した平板型の表示装置と、この表示装置を前記表示パネル側が上向きになるように水平に保持する表示台とを備え、前記表示台は、前記表示パネル側が上向きになるように表示装置を水平に保持する保持アングルと、この保持アングルの周囲に設けられかつ前記表示装置の外周部に空気流を発生させることが可能な排気用ダクトと、この排気用ダクトの一端に取付けられ排気用ダクト内に空気流を発生させるためのファンとを備えたことを特徴とする。
【発明の効果】
【０００８】
本発明によれば、通常縦置きの表示装置としてしか使用されなかったプラズマディスプレイ装置において、横置きの表示装置としても使用可能となり、情報表示装置としての用途の拡大を実現することができる。
【発明を実施するための最良の形態】
【０００９】
以下、本発明の一実施の形態によるディスプレイ装置について、図１〜図８を用いて説明するが、本発明の実施の態様はこれに限定されるものではない。
【００１０】
まず、プラズマディスプレイ装置における表示パネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１１】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１２】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１３】
このような構成の表示パネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１４】
図２にこのような構成の表示パネル１０を用いた平板型表示装置としてのプラズマディスプレイ装置を示している。図２に示すように、アルミニウムなどの平板形状のシャーシ板１１の前面に熱伝導性シート１２を介在させて表示パネル１０を配置すると共に、背面に前記表示パネル１０を駆動表示する駆動回路基板１３および冷却のための冷却ファン１４を配置することにより表示モジュールを構成し、この表示モジュールを、表示パネル１０が露出するように表示窓（図示せず）を有する前面枠１５と、複数の通気孔１６ａを有する後面カバー１６とからなるケース内に収容することにより構成されている。すなわち、このプラズマディスプレイ装置においては、表示駆動により表示パネル１０から発生する熱を熱伝導性シート１２を介してシャーシ板１１に伝熱し、シャーシ板１１の背面側に配置した駆動回路基板１３で発生する熱と共に、後面カバー１６の通気孔１６ａを通して外部に放散するように構成されている。
【００１５】
図３には本発明の一実施の形態によるディスプレイ装置の全体外観図を示し、図４〜図６にそのディスプレイ装置の全体構成を示している。
【００１６】
図３〜図６において、２０は図２に示すプラズマディスプレイ装置、２１はこのプラズマディスプレイ装置２０を前記表示パネル１０側が上向きになるように水平に保持する表示台である。
【００１７】
前記表示台２１は、台本体２２とこの台本体２２の上面に配置された天板２３とからなり、台本体２２には、前記表示パネル１０側が上向きになるようにプラズマディスプレイ装置２０を水平に保持するために中央部に設けた保持アングル２４と、この保持アングル２４の周囲に設けられかつ前記プラズマディスプレイ装置２０の外周部に空気流を発生させることが可能な排気用ダクト２５と、この排気用ダクト２５の一端の終端側に取付けられ排気用ダクト２５内に空気流を発生させるためのファン２６と、このファン２６とは反対側の始端側に設けた吸気口２７と、この吸気口２７に取付けたフィルター２８とを備えている。
【００１８】
また、表示台２１の上面に配置した天板２３には、プラズマディスプレイ装置のみを露出させる表示窓２３ａが設けられている。なお、２０ａはプラズマディスプレイ装置２０の前面枠１５の表示窓に取付けた保護ガラスで、この保護ガラス２０ａにより、プラズマディスプレイ装置２０の表示パネル１０が外部から加えられる衝撃で割れるのを防止している。
【００１９】
図７、図８は、天板２３を開き、プラズマディスプレイ装置２０を取り外した状態の内部の構造を示す図であり、図７、図８から明らかなように、プラズマディスプレイ装置２０が保持される保持アングル２４の下方には空間２９が存在し、そしてその空間２９に併設されるように、断面コの字形状に金属板を加工した排気用ダクト２５が保持アングル２４の周囲に設けられており、これにより水平に設置したプラズマディスプレイ装置２０の背面側には空間２９が存在すると共に、プラズマディスプレイ装置の背面側の縁部下方には、排気用ダクト２５が存在している。また、表示台２１の台本体２２の保持アングル２４上にプラズマディスプレイ装置２０を水平に保持して設置することにより、排気用ダクト２５の上部開口がプラズマディスプレイ装置２０のケースにより塞ぐように構成している。
【００２０】
また、排気用ダクト２５の上部開口の周囲端部には、プラズマディスプレイ装置２０のケースとの間の密閉状態を高めるために、ゴムやクッション材などの弾性部材３０が配設されている。さらに、前記ファン２６は、排気用ダクト２５の終端部に排気用ダクト２５に直交するように取付けられている。
【００２１】
以上説明したように本実施の形態によれば、プラズマディスプレイ装置２０を前記表示パネル１０側が上向きになるように水平に保持する表示台２１を備え、前記表示台２１は、前記表示パネル１０側が上向きになるようにプラズマディスプレイ装置２０を水平に保持する保持アングル２４と、この保持アングル２４の周囲に設けられかつ前記プラズマディスプレイ装置２０の外周部に空気流を発生させることが可能な排気用ダクト２５と、この排気用ダクト２５の一端に取付けられ排気用ダクト２５内に空気流を発生させるためのファン２６とを備えたもので、表示駆動を行うことにより表示パネル１０から熱を発生するプラズマディスプレイ装置２０を水平方向に設置して使用しても、プラズマディスプレイ装置２０から発生する熱をプラズマディスプレイ装置２０の背面側から効果的に排気用ダクト２５を通じて外部に放散させることができ、これによりプラズマディスプレイ装置２０を水平に設置した状態での使用が可能となる。
【００２２】
特に、本発明においては、排気用ダクト２５の上部開口をプラズマディスプレイ装置２０のケースにより塞ぐように構成したことにより、プラズマディスプレイ装置２０から発生する熱をプラズマディスプレイ装置２０の背面側から直接排気用ダクト２５内に引き込み、この排気用ダクト２５を通じて外部に放散させる構成であるため、プラズマディスプレイ装置の熱を効果的に外部に放散することができ、これによりプラズマディスプレイ装置２０を水平方向に設置して使用しても、プラズマディスプレイ装置２０から発生する熱で表示品位が悪くなるという問題も発生しにくくなる。
【産業上の利用可能性】
【００２３】
以上のように本発明によれば、プラズマディスプレイ装置の使用用途を拡大する上で有用な発明である。
【図面の簡単な説明】
【００２４】
【図１】プラズマディスプレイパネルの構成を示す概略斜視図
【図２】プラズマディスプレイ装置の分解図
【図３】本発明の一実施の形態によるディスプレイ装置の全体を示す外観図
【図４】同装置におけるプラズマディスプレイ装置の配置を示す概略平面図
【図５】図４のＡ方向から見た概略側面図
【図６】図４のＢ方向から見た概略側面図
【図７】同装置の内部の要部構造を示す斜視図
【図８】同装置の内部の要部構造を示す斜視図
【符号の説明】
【００２５】
１０  パネル
２０  プラズマディスプレイ装置
２１  表示台
２４  保持アングル
２５  排気用ダクト
２６  ファン
【図１】
2008275852.tif 000003
【図２】
2008275852.tif 000004
【図３】
2008275852.tif 000005
【図４】
2008275852.tif 000006
【図５】
2008275852.tif 000007
【図６】
2008275852.tif 000008
【図７】
2008275852.tif 000009
【図８】
2008275852.tif 000010